(57)【要約】【課題】ガス圧測定装置の針によるけが等を防止し、ガス圧測定作業等における安全性を高める。【解決手段】本発明のガス圧測定装置は、圧力計に連通した中空の針４０と、針４０の周囲を覆う周囲部材３０とを有する。周囲部材３０は、針４０が容器９０に押しつけられた際に変形し、これにより周囲部材３０の端面３０ａから針４０が突出した状態になる。針４０が容器９０に押しつけられていない状態においては、周囲部材３０の端面３０ａから針４０が突出していない状態になる。【選択図】図３
2005017192.tif 000002
【特許請求の範囲】
【請求項１】
容器内のガス圧を測定するためのガス圧測定装置であって、
ガス圧計と、
前記ガス圧計に連通した中空の針と、
前記針の周囲を覆う周囲部材と、を備え、前記周囲部材は、ガス圧の測定時に前記針と共に容器に押しつけられる端面を有し、
前記周囲部材は、前記針が容器に押しつけられていない状態においては前記針が前記端面から突出せず、前記針が容器に押しつけられている状態においては前記端面が移動し前記針が前記端面から突出するように構成されていることを特徴とするガス圧測定装置。
【請求項２】
前記周囲部材は、伸縮性の材料で構成された部分を含み、かつ、前記周囲部材が縮んでいない状態においては前記針が前記端面から突出せず、前記周囲部材が縮んだ状態においては前記針が前記端面から突出するように構成されていることを特徴とする請求項１に記載のガス圧測定装置。
【請求項３】
前記周囲部材は、前記針の外径よりも小さい径を有する孔を有し、前記針が前記孔に差し込まれた状態において前記針によって支持されることを特徴とする請求項１又は請求項２に記載のガス圧測定装置。
【発明の詳細な説明】
【０００１】
【発明の属する技術分野】
本発明は、ガス圧測定装置に係り、特に、容器内のガス圧を測定するためのガス圧測定装置に関する。
【０００２】
【発明の背景】
容器内のガス圧を測定するガス圧測定装置がある。非特許文献１に瓶ビール及び缶ビール容器中のガス圧を測定する方法が記載されている。
【０００３】
缶内のガス圧を測定するための従来のガス圧測定装置は、例えば、図４に模式的に示すように、ガス圧計２１０と、該ガス圧計２１０に連通した中空の針２３０と、該針２３０の周囲に設けられた円筒状のパッキン２４０とを備えている。缶内のガス圧は、針２３０を缶の底部に突き刺すことにより実施されうる。針２３０の周囲と缶に穿たれた孔との隙間から漏れたガスは、パッキン２４０により遮断される。
【０００４】
図４に示すガス圧測定装置では、針２３０の先端がパッキン２４０の端面２４０ａより常時突出していたために、針２３０が作業者の手などに刺さったり引っ掻いたりすることがあり、危険であった。
【０００５】
【非特許文献１】
「ビール酒造組合  国際技術委員会（分析委員会）編  ＢＣＯＪビール分析法」
【０００６】
【発明が解決しようとする課題】
本発明は、上記のような課題の認識に基づいてなされたものであり、例えば、ガス圧測定装置の針によるけが等を防止し、ガス圧測定作業等における安全性を高めることを目的とする。
【０００７】
【課題を解決するための手段】
本発明は、容器内のガス圧を測定するためのガス圧測定装置に関するものである。前記ガス圧測定装置は、ガス圧計と、前記ガス圧計に連通した中空の針と、前記針の周囲を覆う周囲部材とを備え、前記周囲部材は、ガス圧の測定時に前記針と共に容器に押しつけられる端面を有し、
前記周囲部材は、前記針が容器に押しつけられていない状態において
は前記針が前記端面から突出せず、前記針が容器に押しつけられている状態においては前記端面が移動し前記針が前記端面から突出するように構成されている。
【０００８】
本発明の好適な実施の形態によれば、前記周囲部材は、例えば、伸縮性の材料で構成された部分を含み、かつ、前記周囲部材が縮んでいない状態においては前記針が前記端面から突出せず、前記周囲部材が縮んだ状態においては前記針が前記端面から突出するように構成されていることが好ましい。
【０００９】
本発明の好適な実施の形態によれば、前記周囲部材は、例えば、前記針の外径よりも小さい径を有する孔を有し、前記針が前記孔に差し込まれた状態において前記針によって支持されることが好ましい。
【００１０】
【発明の実施の形態】
以下、添付図面を参照しながら本発明の好適な実施の形態を説明する。
【００１１】
図１は、本発明の好適な実施の形態としてのガス圧測定装置の概略構成を示す図である。このガス圧測定装置１００は、針を突き刺すことができる容器、典型的には缶の内部のガス圧測定に好適である。
【００１２】
ガス圧測定装置１００は、圧力計１０と、該圧力計１０に連通した中空の針４０とを備えている。針４０は、概ね円筒形状を有し、その先端は、容器（例えば、缶）９０に突き刺すことができるように十分に鋭利に加工されている。圧力計１０と針４０とは、中継筒２０によって接続されてもよい。図１に例示的に示す構成例では、針４０は、中継筒２０の内部に形成された通路１１を通して圧力計１０の入力ポートに連通している。
【００１３】
図２は、針４０及びその周辺の構造を例示的に示す断面図である。針４０の周囲には、針４０を覆うように周囲部材（保護部材）３０が配置されている。周囲部材３０は、容器９０内のガス圧を測定する際に針４０と一緒に容器９０に押しつけられる端面３０ａを有する。端面３０ａは、例えば、円形状の平面又は曲面であってもよいし、環状であってもよいし、その他の形状であってもよい。ただし、端面３０ａは、針４０が容器９０に差し込まれた状態において、針４０の外周と容器９０に穿たれた孔との隙間から漏れでるガスを遮断するように、少なくとも針４０の周囲の全周において容器９０と密着するように構成されていることが好ましい。
【００１４】
周囲部材３０は、針４０が容器９０に押しつけられていない状態においては針４０が端面３０ａから突出せず（針４０の先端が周囲部材３０によって隠された状態のこと）、一方、針４０が容器９０に押しつけられている状態においては端面３０ａが移動することにより針４０が端面３０ａから突出するように構成されている。典型的には、針４０が容器９０に押しつけられる際に、端面３０ａも一緒に押しつけられて、これにより端面３０ａが移動する。
【００１５】
周囲部材３０は、少なくとも一部が伸縮性を有する部分で構成されることが好ましい。この場合、針４０と共に端面３０ａが測定対象の容器９０に押しつけられることにより、周囲部材３０が縮んで針４０が周囲部材３０の端面３０ａから突出する。伸縮性を有する部分は、例えば、天然ゴム等のゴムを主成分とする材料で構成されることが好ましいが、例えば、バネ等を含んで構成されていてもよい。
【００１６】
以上のように、針４０を容器９０に押しつけない状態においては針４０が周囲部材３０の端面３０ａから突出しない構造を採用することにより、針４０に作業者の手等が引っ掛かって作業者がけがをすることを効果的に防止することができる。すなわち、周囲部材３０は、保護部材として機能しうる。
【００１７】
周囲部材３０は、例えば、針４０の外径よりも小さい径を有する孔３１を有し、針４０が孔３１に突き刺された状態において針４０によって支持されうる。このような支持方法によれば、周囲部材３０を支持するための特別の機構が不要である他、針４０と容器９０に穿たれた孔との間に生じうる隙間から漏れだすガスを遮断することもできる。
【００１８】
圧力計１０、中継筒２０、針４０、周囲部材３０を含む構造体８０は、支持機構５０によって支持されうる。支持機構５０は、例えば、針４０が鉛直下方を向くように構造体８０を支持する。支持機構５０は、例えば、中継筒２０に連結された支持梁５５と、支持梁５５を支持する１又は複数の支持棒５１と、支持棒５１に対して支持梁５５（及び構造体８０）を固定する固定機構（５２、５３、５６）とを備えうる。１又は複数の支持棒５１は、台６０によって支持されうる。
【００１９】
前述の固定機構は、支持棒５１が通る孔を有するロック部材５６と、ロック部材５６の孔の内部を支持棒５１に対して押し当てて、これにより支持梁５５を支持棒５１に対して固定する押圧部材（例えば、バネ）５３と、押圧部材５３を保持する保持部材（例えば、ボルト）５２とを備えうる。このような構成において、押圧部材５３の押圧力に逆らってロック部材５６を動かすとロックが解除されて構造体８０を昇降させることができる。そして、定常状態においては、押圧部材５３による押圧力によって構造体８０が所望の位置に固定される。
【００２０】
容器９０の内部のガス圧を測定する際は、図３に示すように、針４０及びその周囲の周囲部材３０を含むヘッド部に対して容器９０の底部等の所定部分を押しつけて、針４０を容器９０の当該所定部分に突き刺す。この際、周囲部材３０が変形し周囲部材３０の端面３０ａが移動することにより、針４０が周囲部材３０の端面３０ａから突出した状態になる。この状態において、容器９０内のガス圧が圧力計１０の入力ポートに印加され、ガス圧の計測が可能になる。ここで、手で容器９０をヘッド部に押しつけたまま容器９０内のガス圧を測定してもよいし、ロック部材５６を操作して容器９０が台６０に押しつけられるまで構造体８０を下げた状態で容器９０内のガス圧を測定してもよい。
【００２１】
中継筒２０には、容器９０内のガス圧の測定が終了した後に、容器９０内のガス圧を大気圧にするためのガス抜き機構（１２、７１、７２）が設けられている。ハンドル７１を回してネジ７２を緩め、ガス抜き孔１２を開放することにより、ガス抜き孔１２を通して容器９０内のガスを抜くことができる。
【００２２】
【発明の効果】
本発明によれば、例えば、ガス圧測定装置の針によるけが等を防止し、ガス圧測定作業等における安全性を高めることができる。
【図面の簡単な説明】
【図１】本発明の好適な実施の形態としてのガス圧測定装置の概略構成を示す図である。
【図２】ガス圧測定装置の針及びその周辺の構造を例示的に示す断面図である。
【図３】針を容器に突き刺す様子を示す断面図である。
【図４】発明が解決しようとする課題を説明するための図である。
【符号の説明】
１０  圧力計
１１  通路
１２  ガス抜き孔
２０  中継筒
３０  周囲部材
３０ａ  端面
４０  針
５０  支持機構
５１  支持棒
５２  保持部材
５３  押圧部材
５５  支持梁
５６  ロック部材
６０  台
７１  ハンドル
７２  ネジ
９０  容器
【図１】
2005017192.tif 000003
【図２】
2005017192.tif 000004
【図３】
2005017192.tif 000005
【図４】
2005017192.tif 000006